(57)【要約】      （修正有）【課題】保管し易く、皮膚に貼り付けたり水を含ませた基台紙を剥がしたりする作業が容易で、正確なマーキングが可能でマークの種類の把握も容易なマーカーを提供する。【解決手段】台紙４０に半透明のライスペーパー２５が積層された所定サイズの複紙のライスペーパー側に形成された水溶性糊層の裏面に透明インクを用いてインク層２２を覆い隠し得るサイズとなる様に保護層２１を印刷した後、不透明インクを用いて保護層２２の裏面側から当該保護層の内側に収まる様にインク層２２を印刷し、さらに、湿潤により接着性を発揮する透明樹脂インクを用いてインク層の裏面側から保護層及びインク層の裏面を覆う様に接着層２３を印刷し、台紙４０と同一サイズの透明プラスチックフィルム２６を接着層２３の裏面側に貼り付け、台紙４０を剥がし取った状態の所定幅の短冊状に切断する。【選択図】図１１
2018061598.tif 000002
【特許請求の範囲】
【請求項１】
光透過性を有する保護層、皮膚に転写するマークを表したインク層、及び皮膚に接着させる接着層が積層されてなる水転写マークを皮膚に貼り付けて放射線治療の際の目印として用いるためのものであって、以下の構成をも備えていることを特徴とする放射線治療用マーカー。
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された前記保護シートを貼り付けた積層構造を有していること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
【請求項２】
さらに、以下の構成をも備えていることを特徴とする請求項１に記載の放射線治療用マーカー。
（２Ａ）前記基台紙及び前記保護シートが同一幅・同一長さの短冊状に形成され、前記水転写マークが交点又は交差点を表すマークで構成され、当該水転写マークが、前記基台紙の幅方向一方側に偏って長手方向に所定間隔で並ぶ様に複数個形成されていること。
（２Ｂ）前記保護シートは、前記接着層の粘着力によって貼り付けられ、当該接着層の存在しない部分では前記基台紙と分離した状態とされていること。
【請求項３】
光透過性を有する保護層、皮膚に転写するマークを表したインク層、及び皮膚に接着させる接着層が積層されてなる水転写マークを皮膚に貼り付けて放射線治療の際の目印として用いるための放射線治療用マーカーの製造方法であって、以下の工程から構成されることを特徴とする放射線治療用マーカーの製造方法。
（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
（３Ｂ）前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。
（３Ｃ）前記保護シート貼り付け工程の後に、前記複紙から前記台紙を剥がし取った状態の所定幅の短冊状に切断する切断工程。
【発明の詳細な説明】
【技術分野】
【０００１】
本発明は、放射線治療の際の目印として患者の皮膚にマークを付するための放射線治療用マーカーと、その製造方法に関する。
【背景技術】
【０００２】
従来、表面に治療用の目印となるマークが印刷されている基台紙と、該基台紙の裏面に剥離可能に積層されている透明な保護シート層と、該保護シート層の裏面に積層され、前記基台紙に印刷されたマークと同一のマークを形成するインク層と、該インク層の裏面に積層されている接着層と、該接着層の裏面に剥離可能に積層されている保護紙とによって構成され、前記保護紙を剥がして、前記基台紙に水分を含ませると共に、前記接着層を皮膚に押し当てることにより、前記接着層、インク層及び保護シート層を皮膚側に転写して、各種の治療の際の目印となり、前記保護シート層、インク層及び接着層が皮膚に対して柔軟性に富み、かつ摩擦に強いものである治療用マーカーが知られている（特許文献１）。
【先行技術文献】
【特許文献】
【０００３】
【特許文献１】特許第３６０９２８９号公報
【発明の概要】
【発明が解決しようとする課題】
【０００４】
特許文献１の放射線治療用マーカーは、基台紙表面に印刷したマークにより患者の皮膚にマーキングするラインや十字などのマークの位置や形状を把握しながら水転写作業が可能で、術者や患者の衣服等を汚すことがなく、鮮明で正確な目印をマーキングすることができるという優れたものである。
【０００５】
ところで、この種の放射線治療用マーカーは、基台紙の表面へのマークの印刷と、基台紙裏面への保護シート層、インク層、接着層の印刷とを経て製造するため、基台紙は表裏印刷に耐え得るコシの強さを有するものを用いる必要がある。コシの強い基台紙は、保護紙を剥がして接着層を患者の皮膚に押し付ける際に皮膚への密着性が悪くなることが懸念される。一方、基台紙のコシが弱いと保管中の折れ曲がりやマーク自体の損傷が懸念される。
【０００６】
そこで、本発明は、使用に当たって患者の皮膚に押し付けたときの密着性に支障を来すことがなく、保管中の損傷等の恐れも低減することができ、さらに、正確なマーキングが可能でマークの種類の把握も容易な放射線治療用マーカーを提供することを目的とする。
【課題を解決するための手段】
【０００７】
上記目的を達成するためになされた本発明の放射線治療用マーカーは、光透過性を有する保護層、皮膚に転写するマークを表したインク層、及び皮膚に接着させる接着層が積層されてなる水転写マークを皮膚に貼り付けて放射線治療の際の目印として用いるためのものであって、以下の構成をも備えていることを特徴とする。
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された前記保護シートを貼り付けた積層構造を有していること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
【０００８】
本発明の放射線治療用マーカーによれば、基台紙が半透明のライスペーパーで構成されると共に保護層が光透過性を有するから、基台紙の表面側から、不透明インクによって形成したインク層が透けて見える。また、基台紙が半透明のライスペーパーであるから、コシが弱く、保護シートを剥がして皮膚に水転写マークを押し付ける際の密着性を妨げることがない。従って、水転写による皮膚への正確なマーキングが可能である。一方、保護シートとして透明プラスチックフィルムを用いているから、放射線治療用マーカーを保管する際の基台紙のコシの弱さをカバーすることができる。加えて、保護シートが透明プラスチックフィルムで構成されると共に、接着層が透明な樹脂インクで形成されているから、裏返しになっていてもマークを視認することができる。この結果、放射線治療用として十字や直線など種々のマークを用いる場合に、適切な放射線治療用マーカーをスムーズに選び出すことができる。なお、保護層とインク層の間、インク層と接着層の間に、光透過性を有する介在層を介在させても構わない。
【０００９】
本発明の放射線治療用マーカーは、さらに、以下の構成をも備えるとよい。
（２Ａ）前記基台紙及び前記保護シートが同一幅・同一長さの短冊状に形成され、前記水転写マークが交点又は交差点を表すマークで構成され、当該水転写マークが、前記基台紙の幅方向一方側に偏って長手方向に所定間隔で並ぶ様に複数個形成されていること。
（２Ｂ）前記保護シートは、前記接着層の粘着力によって貼り付けられ、当該接着層の存在しない部分では前記基台紙と分離した状態とされていること。
【００１０】
かかる構成をも備えた本発明の放射線治療用マーカーによれば、複数個形成された水転写マークの内で必要な個数だけ切り離して用いることができる。この際、本発明の放射線治療用マーカーは、表からも裏からもマークを視認することができるから、切り離し作業を正しく実施することができる。また、短冊状の放射線治療用マーカーにおいて十字等のマークは幅方向一方側に偏って形成されているから、幅方向他方側は余白となっており、基台紙に対して保護シートが分離した状態となる。従って、切り離して小さなチップとなったマーカー片から保護シートを剥がす作業や、保護シートを剥がした後の小さなマーカー片を皮膚に押し付ける際や、水を含ませた基台紙を剥がす際に、この余白部分を指で摘んで作業をすることができる。なお、最初から１個ずつの小さなチップとした場合には保管中に保護シートが剥がれて水転写マークに損傷を与えることもあり得るが、複数個を並べて形成した水転写マークを必要な個数だけ切り離して用いる構成であるから、この様な保管中の保護シートの脱落等を生じ難いという効果もある。
【００１１】
上記目的を達成するためになされた本発明の放射線治療用マーカーの製造方法は、光透過性を有する保護層、皮膚に転写するマークを表したインク層、及び皮膚に接着させる接着層が積層されてなる水転写マークを皮膚に貼り付けて放射線治療の際の目印として用いるための放射線治療用マーカーの製造方法であって、以下の工程から構成されることを特徴とする。
（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
（３Ｂ）前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。
（３Ｃ）前記保護シート貼り付け工程の後に、前記複紙から前記台紙を剥がし取った状態の所定幅の短冊状に切断する切断工程。
【００１２】
本発明の放射線治療用マーカーの製造方法によれば、（３Ａ）〜（３Ｃ）の工程により、半透明のライスペーパーで構成された基台紙の裏面側に水転写マークが形成されると共に、当該水転写マークの裏面側に透明プラスチックフィルムで構成された保護シートが貼り付けられた積層構造を有する短冊状放射線治療用マーカーを製造することができる。本発明の放射線治療用マーカーによれば、皮膚に貼り付ける際のコシの弱さを有するライスペーパーであっても、印刷工程においては台紙によってコシが確保されているから、適正な形状の保護層、インク層、及び接着層が正しく重なる様に印刷することができる。そして、保護シートを貼り付けた後に台紙を剥がすから、印刷によって形成した水転写マークを損傷させることなく台紙を剥がし取ることができる。
【００１３】
ここで、切断工程は、台紙を剥がしてから短冊状に切断する順番としてもよいし、短冊状に切断してから台紙を剥がす順番としてもよい。切断する前に台紙を剥がす順番とした場合は、台紙を剥がす作業が少なくなると共に、台紙を剥がした後は、基台紙側からも保護シート側からも、インク層を視認することができるから、短冊状に切断する際の切断位置の確認が容易で、十字等を複数個備える短冊に切断する際に十字等が短冊の幅方向一方側に偏って並ぶ様に切断する様に位置合わせすることも容易である。また、透明プラスチックフィルムは、複紙と同一サイズとすると貼り付け作業や切断作業が実行し易くなる。なお、最終的に短冊状に切断するから、透明プラスチックフィルムが複紙よりも大きなサイズであっても構わない。
【００１４】
本発明の製造方法によって製造された放射線治療用マーカーは、保管し易く、皮膚に貼り付けたり水を含ませた基台紙を剥がしたりする作業が容易で、正確なマーキングが可能でマークの種類の把握も容易なものとなる。
【発明の効果】
【００１５】
本発明によれば、使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。
【図面の簡単な説明】
【００１６】
【図１】実施例１の放射線治療用マーカーを用いて患者の皮膚に放射線治療用のマークを施した様子を例示する模式図である。
【図２】実施例１の放射線治療用マーカー（直線）を示し、（Ａ）は要部拡大断面図、（Ｂ）は分解斜視図である。
【図３】実施例１の放射線治療用マーカー（直線）の六面図及び分解底面図である。
【図４】実施例１の放射線治療用マーカー（十字）を示し、（Ａ）は要部拡大断面図、（Ｂ）は分解斜視図である。
【図５】実施例１の放射線治療用マーカー（十字）の六面図及び分解底面図である。
【図６】実施例１の放射線治療用マーカー（丸十字）を示し、（Ａ）は要部拡大断面図、（Ｂ）は分解斜視図である。
【図７】実施例１の放射線治療用マーカー（丸十字）の六面図及び分解底面図である。
【図８】実施例１において直線状のマークを皮膚に施す手順を示す説明図である。
【図９】実施例１において十字のマークを皮膚に施す手順を示す説明図である。
【図１０】実施例１において丸十字のマークを皮膚に施す手順を示す説明図である。
【図１１】実施例１の放射線治療用マーカーの製造工程を示す説明図である。
【図１２】実施例１の放射線治療用マーカーの印刷工程を示す説明図である。
【発明を実施するための形態】
【００１７】
以下に、本発明を実施するための形態を実施例に基づいて説明する。
【実施例１】
【００１８】
本実施例は、図１に示す様に放射線治療用のマークＡ，Ｂ，Ｃを患者の皮膚に貼り付けるために所定長さに切断して用いる水転写方式の放射線治療用マーカーに関するものである。直線状のマークＡは、患者を適切な姿勢で治療用ベッドに寝かせるための目印として用いるものであり、方向を示す。十字のマークＢは、放射線の照射範囲の境界を表す目印として用いるものであり、位置を特定する。丸十字のマークＣは、患部を特定する目印として用いるものであり、位置を特定する。
【００１９】
患者の皮膚に直線状のマークＡを貼り付けるための放射線治療用マーカー１０は、図２に示す様に、保護層１１、皮膚に転写するマークを表したインク層１２、及び皮膚に接着させる接着層１３が積層されてなる水転写マーク１４を、基台紙１５の裏面側に形成すると共に、この水転写マーク１４の裏面側に保護シート１６を貼り付けた積層構造を有している。保護層１１は透明インクを用いて基台紙１５の裏面側に形成され、インク層１２は不透明インクを用いて保護層１１の内側に収まる様に保護層１１の裏面側に形成され、接着層１３は湿潤により接着性を発揮する透明樹脂インクを用いてインク層１２の裏面側にインク層１２及び保護層１１を覆う様に形成されている。
【００２０】
この放射線治療用マーカー１０は、図３に示す様に、基台紙１５として半透明のライスペーパーを用い、保護シート１６として透明プラスチックフィルムを用いている。基台紙１５の裏面には水溶性糊層が形成されている。また、基台紙１５及び保護シート１６が同一幅・同一長さの短冊状に形成され、直線状の水転写マーク１４は、幅方向中央に形成されている。保護シート１６は、接着層１３の粘着力によって貼り付けられ、接着層１３の存在しない部分では基台紙１５と分離した状態とされている。
【００２１】
患者の皮膚に十字のマークＢを貼り付けるための放射線治療用マーカー２０は、図４に示す様に、保護層２１、皮膚に転写するマークを表したインク層２２、及び皮膚に接着させる接着層２３が積層されてなる水転写マーク２４を、基台紙２５の裏面側に形成すると共に、この水転写マーク２４の裏面側に保護シート２６を貼り付けた積層構造を有している。保護層２１は透明インクを用いて基台紙２５の裏面側に形成され、インク層２２は不透明インクを用いて保護層２１の内側に収まる様に保護層２１の裏面側に形成され、接着層２３は湿潤により接着性を発揮する透明樹脂インクを用いてインク層２２の裏面側にインク層２２及び保護層２１を覆う様に形成されている。
【００２２】
この放射線治療用マーカー２０は、図５に示す様に、基台紙２５として半透明のライスペーパーを用い、保護シート２６として透明プラスチックフィルムを用いている。基台紙２５の裏面には水溶性糊層が形成されている。また、基台紙２５及び保護シート２６が同一幅・同一長さの短冊状に形成され、十字の水転写マーク２４が、基台紙２５の幅方向一方側に偏って長手方向に所定間隔で並ぶ様に８個形成されている。保護シート２６は、接着層２３の粘着力によって貼り付けられ、接着層２３の存在しない部分では基台紙２５と分離した状態とされている。
【００２３】
患者の皮膚に丸十字のマークＣを貼り付けるための放射線治療用マーカー３０は、図６に示す様に、保護層３１、皮膚に転写するマークを表したインク層３２、及び皮膚に接着させる接着層３３が積層されてなる水転写マーク３４を、基台紙２５の裏面側に形成すると共に、この水転写マーク２４の裏面側に保護シート３６を貼り付けた積層構造を有している。保護層３１は透明インクを用いて基台紙３５の裏面側に形成され、インク層３２は不透明インクを用いて保護層３１の内側に収まる様に保護層３１の裏面側に形成され、接着層３３は湿潤により接着性を発揮する透明樹脂インクを用いてインク層３２の裏面側にインク層３２及び保護層３１を覆う様に形成されている。
【００２４】
この放射線治療用マーカー３０は、図７に示す様に、基台紙３５として半透明のライスペーパーを用い、保護シート３６として透明プラスチックフィルムを用いている。基台紙３５の裏面には水溶性糊層が形成されている。また、基台紙３５及び保護シート３６が同一幅・同一長さの短冊状に形成され、丸十字の水転写マーク３４が、基台紙２５の幅方向一方側に偏って長手方向に所定間隔で並ぶ様に８個形成されている。保護シート３６は、接着層３３の粘着力によって貼り付けられ、接着層３３の存在しない部分では基台紙３５と分離した状態とされている。
【００２５】
なお、作図の都合上、図２（Ａ），図４（Ａ），図６（Ａ）では、保護層１１，２１，３１及び接着層１３，２３，３３に対してインク層１２，２２，３２が食い込んでいる様に表しているが、後述の製造工程から明らかな様に、保護層１１，２１，３１と接着層１３，２３，３３とがインク層１２，２２，３２を表裏から挟み込む様に密着した状態となっている。また、保護層１１，２１，３１とインク層１２，２２，３２の間、インク層１２，２２，３２と接着層１３，２３，３３の間に、光透過性を有する介在層を介在させても構わない。
【００２６】
放射線治療用マーカー１０，２０，３０は、図８〜図１０に示す様に、鋏で切断してマーカー片１０ａ，２０ａ，３０ａとした後、保護シート１６，２６，３６を剥がし、基台紙１５，２５，３５を表にして皮膚に押し付ける様にして位置決めし、水を含んだ脱脂綿等を用いて基台紙１５，２５，３５に水を含ませた後、基台紙１５，２５，３５を剥がしてマークＡ，Ｂ，Ｃを皮膚に転写する様にして貼り付ける。なお、放射線治療用マーカー２０，３０は、位置を特定するマークＢ，Ｃを患者の皮膚に転写するためのものであるから、図９，図１０に示した様に、水転写マーク２４，３４が単体となる様に切断して用いる。放射線治療用マーカー１０は、患者を治療用ベッドに正しい姿勢で寝かせるための方向を示すマークＡを患者の皮膚に転写するためのものであるから、図８に示す様に、所望の長さに切断して用いるが、切断することなく用いても構わない。
【００２７】
次に、これら放射線治療用マーカー１０，２０，３０の製造方法を、放射線治療用マーカー２０を例に、図１１，図１２に基づいて説明する。
【００２８】
まず、基台紙２５となる半透明のライスペーパーが裏面側に台紙４０が積層されたＡ４サイズの複紙を用意する。本実施例では、丸繁紙工株式会社の複紙（台紙＋ライスペーパー、製品名：ＤＰ（厚さ０．２３ｍｍ））を用いた。
【００２９】
図１１（Ａ）に示す様に、ライスペーパー（基台紙２５）側を印刷面とし、でんぷん糊をコーティングして乾燥させ、ライスペーパー（基台紙２５）の裏面側に水溶性糊層を形成する。
【００３０】
次に、図１１（Ｂ），図１２（Ａ）に示す様に、スクリーン印刷により、透明インク（帝国インキ製造株式会社のポリエステル銘板用印刷インキ、製品名：ＥＧスクリーンインキ）を用いて、水溶性糊層の裏面側に保護層２１を形成する。
【００３１】
次に、図１１（Ｃ），図１２（Ｂ）に示す様に、スクリーン印刷により、黒色インク（株式会社永瀬スクリーン印刷研究所のスクリーン印刷用インキ、製品名：フジロン  黒（希釈溶剤、同社の製品名：エイトソルベント  遅乾））を用いて、保護層２１の裏面側に、当該保護層２１の内側に収まる様にインク層２２を形成する。
【００３２】
次に、図１１（Ｄ），図１２（Ｃ）に示す様に、スクリーン印刷により、湿潤により接着性を発揮する透明樹脂インク（名古屋スリーボンド株式会社の製品銘：リキダイン  ＴＨＢ−１０２）を用いて、インク層２２の裏面側に、インク層２２及び保護層２１を覆う様に接着層２３を形成する。
【００３３】
次に、図１１（Ｅ）に示す様に、Ａ４サイズの透明な保護シート２６を接着層２３の裏面側に貼り付ける。本実施例では、リンテック株式会社のポリプロピレンシート、製品名：ＳＰ−ＰＰ−４０）を保護シート２６として用いた。
【００３４】
次に、図１１（Ｆ）に示す様に、台紙４０を剥がし、さらに、図１１（Ｇ）に示す様に、所定幅の切断線５０にて短冊状に切断する。これにより、図１１（Ｈ）に示す様に、放射線治療用マーカー２０を製造する。
【００３５】
上述した実施例の放射線治療用マーカーの製造方法によれば、皮膚に貼り付ける際のコシの弱さを有するライスペーパーであっても、印刷工程においては台紙４０によってコシが確保されているから、適正な形状の保護層１１，２１，３１、インク層１２，２２，３２、及び接着層１３，２３，３３を重ね印刷することができる。そして、保護シート５０を貼り付けた後に台紙４０を剥がすから、印刷によって形成した水転写マーク１４，２４，３４を損傷させることなく台紙４０を剥がし取ることができる。こうして台紙４０を剥がした後は、基台紙１５，２５，３５側からも保護シート１６，２６，３６側からもインク層１２，２２，３２を視認することができるから、短冊状に切断する際の切断位置の確認が容易で、十字等を複数個備える短冊に切断する際に十字等が短冊の幅方向一方側に偏って並ぶ様に切断する様に位置合わせすることも容易である。また、複紙と透明プラスチックフィルムが同一サイズであるから、貼り付け作業や切断作業における位置合わせが容易である。
【００３６】
実施例の放射線治療用マーカー１０，２０，３０によれば、基台紙１５，２５，３５が半透明のライスペーパーで構成されると共に保護層１１，２１，３１が透明であるから、図３，図５，図７に示した様に、基台紙１５，２５，３５の表面側から、黒色インクによって形成したインク層１２，２２，３２が透けて見える。また、基台紙１５，２５，３５が半透明のライスペーパーであるから、コシが弱く、図８〜図１０に示した様に、保護シート１６，２６，３６を剥がして皮膚に水転写マーク１４，２４，３４を押し付ける際の密着性を妨げることがない。従って、水転写による皮膚への正確なマーキングが可能である。一方、保護シート１６，２６，３６として透明プラスチックフィルムを用いているから、放射線治療用マーカー１０，２０，３０を保管する際の基台紙１５，２５，３５のコシの弱さをカバーすることができる。加えて、保護シート１６，２６，３６が透明プラスチックフィルムで構成されると共に、接着層１３，２３，３３が透明な樹脂インクで形成されているから、図３，図５，図７の底面図に示す様に、裏返しになっていてもマークを視認することができる。この結果、放射線治療用として十字や直線など種々のマークＡ，Ｂ，Ｃを用いる場合に、適切な放射線治療用マーカー１０，２０，３０をスムーズに選び出すことができる。
【００３７】
また、十字のマークＢを患者の皮膚に転写するための放射線治療用マーカー２０、及び丸十字のマークＣを患者の皮膚に転写するための放射線治療用マーカー３０によれば、複数個形成された水転写マーク２４，３４の内で必要な個数だけ切り離して用いることができる。この際、放射線治療用マーカー２０，３０は、表からも裏からも水転写マーク２４，３４を視認することができるから、切り離し作業を正しく実施することができる。また、短冊状の放射線治療用マーカー２０，３０において十字，丸十字の水転写マーク２４，３４は幅方向一方側に偏って形成されているから、幅方向他方側は余白となっており、基台紙２５，３５に対して保護シート２６，３６が分離した状態となる。従って、図９，図１０に示した様に、切り離して小さなチップとなったマーカー片２０ａ，３０ａから保護シート２６，３６を剥がす作業や、保護シート２６，３６を剥がした後の小さなマーカー片２０ａ，３０ａを皮膚に押し付ける際や、水を含ませた基台紙２５，３５を剥がす際に、この余白部分を指で摘んで作業をすることができる。そして、複数個を並べて形成した水転写マーク２４，３４を必要な個数だけ切り離して用いる構成であるから、保管中の保護シート２６，３６の脱落等を生じ難いという効果もある。
【００３８】
この様に、実施例の放射線治療用の製造方法によれば、保管し易く、皮膚に貼り付けたり水を含ませた基台紙を剥がしたりする作業が容易で、正確なマーキングが可能でマークの種類の把握も容易な放射線治療用マーカー１０，２０，３０を製造することができる。そして、実施例の放射線治療用マーカー１０，２０，３０によれば、使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。
【００３９】
この様に、実施例によれば、保管し易く、皮膚に貼り付けたり水を含ませた基台紙１５，２５，３５を剥がしたりする作業が容易で、正確なマーキングが可能でマークの種類の把握も容易な放射線治療用マーカー１０，２０，３０を製造することができ、これら放射線治療用マーカー１０，２０，３０は、使用に当たって患者の皮膚に押し付けたときの密着性に支障を来すことがなく、保管中の損傷の恐れも低減することができ、さらに、正確なマーキングが可能でマークの種類の把握も容易なものである。
【００４０】
以上、本発明の実施例を説明したが、本発明はこれに限定されるものではなく、その要旨を逸脱しない範囲内で種々に実施することができる。
【００４１】
例えば、製造方法において用いる複紙及び透明プラスチックフィルムはＡ４サイズ同士に限らず、プラスチックフィルムの方が複紙よりも大きなサイズであってもよい。また、インクの種類も実施例にあげたものに限らず、不透明インクの色も半透明のライスペーパーを透かして視認可能な色であれば黒インクに限らない。加えて、保護シートとして、ＰＥＴなどポリプロピレン以外の透明プラスチックフィルムを用いて差し支えない。さらに、製造方法において、短冊状に切断した後に台紙４０を剥がす様にしても構わない。
【産業上の利用可能性】
【００４２】
本発明は、放射線治療の際の目印を付する作業に用いることができる。
【符号の説明】
【００４３】
Ａ，Ｂ，Ｃ・・・放射線治療用のマーク、１０，２０，３０・・・放射線治療用マーカー、１０ａ，２０ａ，３０ａ・・・マーカー片、１１，２１，３１・・・保護層、１２，２２，３２・・・インク層、１３，２３，３３・・・接着層、１４，２４，３４・・・水転写マーク、１５，２５，３５・・・基台紙（ライスペーパー）、１６，２６，３６・・・保護シート（透明プラスチックフィルム）、４０・・・台紙、５０・・・切断線。
【図１】
2018061598.tif 000003
【図２】
2018061598.tif 000004
【図３】
2018061598.tif 000005
【図４】
2018061598.tif 000006
【図５】
2018061598.tif 000007
【図６】
2018061598.tif 000008
【図７】
2018061598.tif 000009
【図８】
2018061598.tif 000010
【図９】
2018061598.tif 000011
【図１０】
2018061598.tif 000012
【図１１】
2018061598.tif 000013
【図１２】
2018061598.tif 000014